(57)【要約】      （修正有）【課題】白色塗装をなくしても目盛の照明が暗く見える現象が生じないようにすることができる目盛リング照明装置を提供する。【解決手段】指針回動領域２１を有する文字板５と、この文字板５の表面側に、指針回動領域２１を取り囲むように設置された目盛リング２５と、文字板５の裏面側に、少なくとも指針回動領域２１を取り囲むように設置されて、光源からの光Ｌを文字板５へ導く導光板８とを有し、文字板５が、目盛リング２５の底面部に沿って延び、導光板８からの光Ｌを通す透光部４を有し、目盛リング２５が、透光部４を通った光によって照明される透光性の目盛部２４を有する目盛リング照明装置で、導光板８の裏面側に、導光板８の内部に導かれた光Ｌの一部を、目盛リング２５の外側面へ向けて反射させる反射面部４２を凹設形成するようにしている。【選択図】図２
2015137981.tif 000002
【特許請求の範囲】
【請求項１】
指針回動領域を有する文字板と、該文字板の表面側に、前記指針回動領域を取り囲むように設置された目盛リングと、前記文字板の裏面側に、少なくとも前記指針回動領域を取り囲むように設置されて、光源からの光を前記文字板へ導く導光板とを有し、
前記文字板が、前記目盛リングの底面部に沿って延び、前記導光板からの光を通す透光部を有し、前記目盛リングが、前記透光部を通った光によって照明される透光性の目盛部を有する目盛リング照明装置において、
前記導光板の裏面側に、導光板の内部に導かれた光の一部を、前記目盛リングの外側面へ向けて反射させる反射面部を凹設形成したことを特徴とする目盛リング照明装置。
【請求項２】
前記反射面部が多段に設けられたことを特徴とする請求項１に記載の目盛リング照明装置。
【発明の詳細な説明】
【技術分野】
【０００１】
この発明は、目盛リング照明装置に関するものである。
【背景技術】
【０００２】
自動車などの車両には、車室の前部に、各種の運転情報を表示するための車両用計器装置が設けられている。そして、この車両用計器装置には、夜間照明や加飾照明などを行うための照明装置が備えられている（例えば、特許文献１参照）。このような車両用計器の照明装置には、車両用計器装置の文字板の表面に設置された目盛リングを照明するようにした目盛リング照明装置などが存在している。
【先行技術文献】
【特許文献】
【０００３】
【特許文献１】特許第４７５８９５３号
【発明の概要】
【発明が解決しようとする課題】
【０００４】
しかしながら、上記した目盛リング照明装置では、目盛リングに形成された目盛部の照明が状況によって暗く見えるような現象が生じる場合があった。
この現象は、目盛部を見る位置および角度や目盛部の表面での光の屈折などによって、目盛部（光透過部）の奥にある暗い部分が外部から覗かれてしまうことによるものである。なお、リング本体内部の暗い部分とは、リング本体の外側面のことである。
そのため、従来は、リング本体の外側面に、光の反射率が高い白色塗装を施すことによって、外部から覗かれた場合でも、目盛リングの照明を暗く感じさせないようにしていた。
しかし、上記した白色塗装は、マスク塗装などの塗装手段によって、リング本体の外周面に部分的に施されるものであるため、コストや手間が掛かっていた。
【０００５】
そこで、本発明は、上記した問題点を解決し、白色塗装をなくしても目盛の照明が暗く見える現象が生じないようにすることを、主な目的としている。
【課題を解決するための手段】
【０００６】
上記課題を解決するために、本発明は、指針回動領域を有する文字板と、該文字板の表面側に、前記指針回動領域を取り囲むように設置された目盛リングと、前記文字板の裏面側に、少なくとも前記指針回動領域を取り囲むように設置されて、光源からの光を前記文字板へ導く導光板とを有し、前記文字板が、前記目盛リングの底面部に沿って延び、前記導光板からの光を通す透光部を有し、前記目盛リングが、前記透光部を通った光によって照明される透光性の目盛部を有する目盛リング照明装置において、
前記導光板の裏面側に、導光板の内部に導かれた光の一部を、前記目盛リングの外側面へ向けて反射させる反射面部を凹設形成したことを特徴とする。
【発明の効果】
【０００７】
本発明によれば、上記構成によって、以下のような作用効果を得ることができる。即ち、導光板の裏面側に反射面部を凹設形成した。そして、導光板の内部に導かれた光の一部が、反射面部により、目盛リングの外側面へ向けて反射されるようにした。これにより、目盛リングの外側面が光に照らされて明るくなる。よって、外側から目盛リングの外側面が覗かれた場合でも、目盛部の照明が暗く見えることが防止される。そのため、目盛リングの外側面に白色塗装を行う必要がなくなり、その分、コスト低下を図ることができる。
【図面の簡単な説明】
【０００８】
【図１】本発明の実施例にかかる車両用計器照明装置を手前側から見た正面図である。
【図２】図１をＡ−Ａ線に沿って切断した断面図である。
【図３】図１に導光板を加えた正面図である。
【図４】目盛リングの目盛部以外の位置での断面図（拡大図）である。
【図５】図３の変形例を示す正面図である。
【図６】図５の変形例を示す正面図である。
【図７】図２の変形例を示す断面図である。
【発明を実施するための形態】
【０００９】
以下、本実施の形態を、図面を用いて詳細に説明する。
図１〜図７は、この実施の形態の実施例およびその変形例を説明するためのものである。
【実施例１】
【００１０】
＜構成＞以下、構成について説明する。
自動車などの車両には、車室の前部に、各種の運転情報を表示するための車両用計器装置１が設けられている。そして、この車両用計器装置１には、夜間照明や加飾照明などを行うための照明装置（即ち、車両用計器照明装置２）が備えられる。このような車両用計器照明装置２として、車両用計器装置１の文字板５の表面に設置された目盛リング２５を照明するようにした目盛リング照明装置が設けられる。
【００１１】
先ず、車両用計器装置１について説明する。図１は、車両用計器装置１の文字板５を示すものであり、速度計１１やエンジン回転数計１２などを一体に有するコンビネーションメータのものとされている。文字板５には、その他に、各種の警告灯などの点灯式表示装置１７やパネル式表示装置１８などが備えられている。
【００１２】
文字板５には、速度計１１やエンジン回転数計１２などのための指針回動領域２１が設けられており、指針回動領域２１には数値表示部２３が設けられている。また、文字板５の表面側には、上記指針回動領域２１を取り囲むようにして、目盛部２４を有する目盛リング２５が設置されている。
【００１３】
このような文字板５は、図２に示すようなハウジング２７の表面側に取付けられている。また、ハウジング２７の裏面側には、回路基板２８が取付けられている。この回路基板２８には、図示しない指針を駆動するためのアクチュエータ２９などが取付けられている。
【００１４】
次に、車両用計器照明装置２について説明する。文字板５の裏面側とハウジング２７の表面側との間には、光源６（図３参照）からの光Ｌを文字板５へ導く導光板８が設けられている。そして、文字板５の数値表示部２３が透光部４とされる。そのために、文字板５は、透明な樹脂製の板材に透光部４となる数値表示部２３などを残して、不透光性の印刷層を形成したものとされる。導光板８は、図３に示すように、指針回動領域２１を覆うようにして円弧状に延びる本体部分３６と、光源６からの光Ｌを入光する入光部３７とを有している。これらの構成によって、文字板照明装置が構成される。
【００１５】
次に、目盛リング照明装置について説明する。図２に示すように、文字板５に、目盛リング２５の底面部５１（図４参照）に沿って延び、導光板８からの光Ｌを通す透光部４（目盛リング用透光部６１）を形成する。この目盛リング用透光部６１は、数値表示部２３と同様にして形成される。そして、目盛リング２５の目盛部２４を、上記透光部４を通った光によって照明される透光性の光透過部５６とする。
【００１６】
そのために、図４に示すように、目盛リング２５は、透明な樹脂製のリング本体５２の内側面５４（または内周面）には、中間塗装５３ｂと、仕上塗装５３ｃとが順に施される。目盛リング２５は、外側面５７が文字板５に対してほぼ直角となるほぼ直角三角形状の断面を有するものとされている。
【００１７】
そして、以上のような基本的または全体的な構成に対し、この実施例は、以下のような構成を備えている。
【００１８】
（構成１）図２に示すように、上記導光板８の裏面側に、導光板８の内部に導かれた光Ｌの一部を、上記目盛リング２５の外側面５７へ向けて反射させる反射面部４２（外側方向反射面部５８）を凹設形成する。
【００１９】
ここで、上記した反射面部４２は、側面視逆Ｖ字状をした凹部などにおける内周側の傾斜面とする。この反射面部４２は、導光板８の裏面に対して、概ね１５°〜３０°の角度を成すように形成される。この反射面部４２は、図３に示すように、全ての目盛部２４の下側を通るような連続した円弧状の溝部としても良い。また、この反射面部４２は、図５に示すように、全ての目盛部２４の下側に位置する不連続のものとしても良い。更に、この反射面部４２は、図６に示すように、外部から暗く見える目盛部２４（暗く見える部分４１）のみの下側に位置する部分的なものとしても良い。
【００２０】
（構成２）図７に示すように、上記反射面部４２は、多段に設けるようにしても良い。
【００２１】
ここでは、上記した反射面部４２は、指針回動領域２１の半径方向に対して２段に設けるようにしている。内周側に位置する反射面部４２は、外周側に位置する反射面部４２よりも浅いものとするのが、導光板８内の光Ｌを妨げないようにする上では好ましい。なお、上記した反射面部４２は、平坦面状のものとしても、曲面状のものとしても良い。反射面部４２を曲面状のものとした場合には、目盛リング２５の外側面５７を照らす範囲を広げることが可能となる。
【００２２】
＜作用＞以下、この実施例の作用について説明する。
光源６からの光Ｌは、導光板８の内部を導かれ、導光板８の表面から文字板５の透光部４を通して、底面部５１から目盛リング２５の内部へ入る。これにより、目盛リング２５に形成された目盛部２４が照明される。
【００２３】
＜効果＞この実施例によれば、以下のような効果を得ることができる。
導光板８の裏面側に反射面部４２を凹設形成した。そして、導光板８の内部に導かれた光Ｌの一部が、反射面部４２により目盛リング２５の外側面５７へ向けて反射されるようにした。これにより、目盛リング２５の外側面５７が光Ｌに照らされて明るくなる。よって、外側から目盛リング２５の外側面５７が覗かれた場合でも（視線Ｅ）、目盛部２４の照明が暗く見えることが防止される。そのため、目盛リング２５の外側面５７に白色塗装５３ａを行う必要がなくなり、その分、コスト低下を図ることができる。
【００２４】
また、反射面部４２は、多段に設けるようにしても良い。これにより、導光板８の内部に対する反射面部４２の深さを浅くして、反射面部４２によって導光板８の内部に導かれる光Ｌが妨げられ難くすることができる。そのため、光Ｌを有効に使用することができるようになる。また、多段に設けられた反射面部４２によって、目盛リング２５の外側面５７を照らす範囲を広げることができる。
【符号の説明】
【００２５】
４    透光部
５    文字板
６    光源
８    導光板
２１  指針回動領域
２４  目盛部
２５  目盛リング
４２  反射面部
５１  底面部
５７  外側面
Ｌ    光
【図１】
2015137981.tif 000003
【図２】
2015137981.tif 000004
【図３】
2015137981.tif 000005
【図４】
2015137981.tif 000006
【図５】
2015137981.tif 000007
【図６】
2015137981.tif 000008
【図７】
2015137981.tif 000009